(57)【要約】【課題】容易に中蓋を開放することができるにもかかわらず、従来よりも簡易な構成で容易に製造できる化粧料容器を得る。【解決手段】容器本体１は、側壁４に囲まれ、中皿３を収容する収容凹部５と、側壁６に囲まれ、化粧用パフ７を収容する収容凹部８とを有しているものである。容器本体１内側の底部には、回転軸１５の両端を回転自在に支持している一対の支持部１４ａ、１４ｂが設けられている。回転軸１５には、断面が略Ｌ字形状の操作部１３が一端部１３ａを介して接続されており、中皿３に対して遠近方向に回動することができるようになっている。操作部１３は、一端部１３ａだけでなく、他端部において縁部の外側方向に突出したつば部１３ｂ、及び、中蓋１０が閉じられている際、中蓋１０における中皿３に蝶着された部位に相対する縁部１２の先端部に係合する突出部１３ｃをも有している。【選択図】図２
2010178774.tif 000002
【特許請求の範囲】
【請求項１】
化粧料を充填した中皿と、前記中皿に開閉自在に蝶着され、前記中皿を気密状態に維持する中蓋と、側壁に囲まれ、前記中皿を収容する収容凹部を有した容器本体と、前記容器本体を蓋する蓋体とを備えている化粧料容器であって、
前記容器本体内側の底部に揺動可能に接続されている一端部と、前記一端部に対して反対側において、前記中蓋が閉じられている際、前記中蓋における前記中皿に蝶着された部位に相対する縁部の先端部に係合する突出部とを有した操作部を備えていることを特徴とする化粧料容器。
【請求項２】
前記一端部を前記容器本体内側の底部に揺動可能に接続する部分が、回転軸と、前記容器本体内側の底部に設けられ、前記回転軸の両端を回転自在に支持している一対の支持部とを含むものであり、
前記操作部の前記一端部が前記回転軸に接続されているとともに、前記操作部が、前記一端部と前記回転軸との接続部分を軸として前記中皿に対して遠近方向に回動自在となっていることを特徴とする請求項１に記載の化粧料容器。
【請求項３】
前記操作部の一端部先端の所定部分に、前記操作部が所定角度回動した際、前記容器本体内側の底部に当接して回動を制止する制止部が設けられていることを特徴とする請求項１又は２に記載の化粧料容器。
【請求項４】
前記操作部の重心が前記操作部の前記中皿側に偏って設けられていることを特徴とする請求項１〜３のいずれか１項に記載の化粧料容器。
【請求項５】
前記操作部の他端部に、前記縁部の外側方向に突出したつば部を有していることを特徴とする請求項１〜４のいずれか１項に記載の化粧料容器。
【発明の詳細な説明】
【技術分野】
【０００１】
本発明は、化粧料を充填した中皿を収容する化粧料容器に関する。
【背景技術】
【０００２】
従来から、化粧料が充填された中皿を内部に収容してなる化粧料容器が開発され、販売されている。このような化粧料容器としては、例えば、容器本体の蓋体が不用意に開放されても、該開放のみに起因して前記中皿を気密状態に維持する中蓋が開放されてしまわないように工夫されたものが公知となっている（下記特許文献１〜３参照）。
【先行技術文献】
【特許文献】
【０００３】
【特許文献１】特開２００８−２１２２２９号公報
【特許文献２】特開２００８−２１２２４４号公報
【特許文献３】特開２００８−２５３２８２号公報
【発明の概要】
【発明が解決しようとする課題】
【０００４】
しかしながら、上記特許文献１〜３のものは、容易に前記中蓋を開放することができるものの、前記中蓋の開放を行う開放機構が複雑なものとなっており、容易に製造できるものではなかった。
【０００５】
そこで、本発明の目的は、容易に前記中蓋を開放することができるにもかかわらず、従来よりも簡易な構成で容易に製造できる化粧料容器を得ることである。
【課題を解決するための手段】
【０００６】
（１）本発明は、化粧料を充填した中皿と、前記中皿に開閉自在に蝶着され、前記中皿を気密状態に維持する中蓋と、側壁に囲まれ、前記中皿を収容する収容凹部を有した容器本体と、前記容器本体を蓋する蓋体とを備えている化粧料容器であって、前記容器本体内側の底部に揺動可能に接続されている一端部と、前記一端部に対して反対側において、前記中蓋が閉じられている際、前記中蓋における前記中皿に蝶着された部位に相対する縁部の先端部に係合する突出部とを有した操作部を備えているものである。
【０００７】
上記（１）の構成によれば、前記操作部における前記一端部の前記容器本体内側の底部に接続されている部分を軸として、前記操作部を単に揺動させるだけで、前記操作部の突出部が係合している前記縁部の先端部を押し上げることができる。その結果として、前記中蓋を押し上げることができるので、容易に前記中蓋を開放できる化粧料容器を提供できる。また、従来よりも簡易な構成であるので、より容易に製造できる化粧料容器を提供できる。
【０００８】
（２）  上記（１）の化粧料容器においては、前記一端部を前記容器本体内側の底部に揺動可能に接続する部分が、回転軸と、前記容器本体内側の底部に設けられ、前記回転軸の両端を回転自在に支持している一対の支持部とを含むものであり、前記操作部の前記一端部が前記回転軸に接続されているとともに、前記操作部が、前記一端部と前記回転軸との接続部分を軸として前記中皿に対して遠近方向に回動自在となっていることが好ましい。
【０００９】
上記（２）の構成によれば、前記操作部を、前記一端部と前記回転軸との接続部分を軸として、遠ざかる方向に単に回動させるだけで、前記操作部の突出部が前記縁部の先端部を押し上げることができる。その結果として、前記中蓋を押し上げることができるので、容易に前記中蓋を開放できる化粧料容器を提供できる。また、従来よりも簡易な構成であるので、より容易に製造できる化粧料容器を提供できる。
【００１０】
（３）  上記（１）又は（２）の化粧料容器においては、前記操作部の一端部先端の所定部分に、前記操作部が所定角度回動した際、前記容器本体内側の底部に当接して回動を制止する制止部が設けられていることが好ましい。
【００１１】
上記（３）の構成によれば、前記制止部によって前記操作部の回動を所定角度で制止することができるので、前記操作部の他端部が前記容器本体内側の底部まで到達してしまうことを防止できる。また、前記操作部の回動を所定角度で制止することにより、前記中蓋を閉じる際、前記操作部の位置を、前記中蓋を開ける前の位置に容易に戻すことができる。
【００１２】
（４）  上記（１）〜（３）の化粧料容器においては、前記操作部の重心が前記操作部の前記中皿側に偏って設けられていることが好ましい。
【００１３】
上記（４）の構成によれば、前記操作部の重心が前記中皿側に偏って設けられているため、前記中蓋が前記操作部によって開かれた際、前記操作部の回動が所定角度までであれば、自動的に前記中蓋を開く前の位置に前記操作部を戻すことができる。特に、上記（３）の化粧料容器において、前記操作部の回動許容角度が大きくなりすぎないように、前記操作部を制止するようにすれば、確実に、自動的に前記中蓋を開く前の位置に前記操作部を戻すことができる。これにより、前記中蓋を単に閉じるだけで、前記中蓋をいつでも開ける状態に戻すことが可能な使い勝手の良い化粧料容器を提供できる。
【００１４】
（５）  上記（１）〜（４）の化粧料容器においては、前記操作部の他端部に、前記縁部の外側方向に突出したつば部を有していることが好ましい。
【００１５】
上記（５）の構成によれば、前記操作部を操作する際、力を加える位置である力点としてつば部を利用できるので、前記操作部を容易に回動させることができる。その結果として、より容易に前記中蓋を開放することができる。
【図面の簡単な説明】
【００１６】
【図１】本発明の実施形態に係る化粧料容器を示す平面図であり、蓋体を取り外した状態のものである。
【図２】図１に示した化粧料容器のＡ−Ａ矢視断面図であって、蓋体も含めて表したものである。
【図３】図１に示した化粧料容器のＢ−Ｂ矢視断面図であって、蓋体も含めて表したものである。
【図４】図２に示した化粧料容器の要部拡大断面図である。
【図５】図４に示した状態から中蓋を開放した状態を示した断面図である。
【発明を実施するための形態】
【００１７】
以下、図１〜図５を参照して、本発明の実施形態に係る化粧料容器を説明する。
【００１８】
図１〜図３に示すように、化粧料容器１００は、容器本体１と、蓋体２（図１には図示せず）と、化粧料（図示せず）を充填した中皿３とを備えている。
【００１９】
容器本体１は、側壁４に囲まれ、中皿３を収容する収容凹部５と、側壁６に囲まれ、化粧用パフ７を収容する収容凹部８とを有しているものである。
【００２０】
収容凹部５の側壁４には、中皿に設けられた凹型に陥没した係止部（図示せず）を固定係止するためのフック部４ａ、４ｂ、４ｃ、４ｄが突設されている。また、収容凹部５の底部には、蓋体２の開放時に、フック部４ａ、４ｂ、４ｃ、４ｄに固定係止されている中皿３を指で押し出して取り外すことができるように、孔１ａが形成されている。
【００２１】
収容凹部８の底部には、外部と連通している複数の孔１ｂが設けられている。なお、孔１ｂは、化粧用パフ７の湿気を低下させるために、すなわち通気性を高めるために形成されている。
【００２２】
蓋体２は、枢軸１６を介して容器本体１に開閉自在に蝶着されている。また、蓋体２の内側には、蓋体２の内側形状に沿って略長方形平面を有した鏡１７が設けられている。
【００２３】
容器本体１の前面には、フックピース１８が設けられており、フックピース１８を押すことにより（図３矢印参照）、蓋体２の前面に設けられたフック（係合爪）２ａと係止部１８ａとの係止を解除することができる。フック（係合爪）２ａと係止部１８ａとの係止の解除後、枢軸１６を軸として蓋体２の前面を係止部１８ａから遠ざける方向に回転させることにより、化粧料容器１００の開動作を行うことができる。また、化粧料容器１００の閉動作を行う場合には、枢軸１６を軸として蓋体２の前面を係止部１８ａに近づけるように回転させ、フック（係合爪）２ａを係止部１８ａに係止させればよい。
【００２４】
なお、フックピース１８が図３矢印方向に押された後、元の位置に自動的に戻るように、弾性部材１９がフックピース１８と容器本体１との間に設けられている。弾性部材１９は、例えば、バネ又はゴムなどからなる。
【００２５】
図２に示したように、中皿３には、蝶着部９における枢軸９ａを介して、樹脂製の中蓋１０が開閉自在に蝶着されており、中蓋１０の内側には、固定部材１１ａによって固定された環状のシール部材１１ｂが設けられている。シール部材１１ｂはゴム又はエラストマー等の軟質部材からなっており、中蓋１０が中皿３に当接した際に弾性変形して、中皿３を気密状態に保持できるようになっている。
【００２６】
図４に示したように、中蓋１０の蝶着部９に相対する縁部１２の先端内部側には、中皿３の縁部に形成された係止部３ａに係止することが可能なフック１０ａが設けられている。
【００２７】
図１〜図４に示したように、容器本体１内側の底部には、回転軸１５の両端を回転自在に支持している一対の支持部１４ａ、１４ｂが設けられている。回転軸１５には、断面が略Ｌ字形状の操作部１３が一端部１３ａを介して接続されており、中皿３に対して遠近方向に回動することができるようになっている。
【００２８】
図４に示したように、一端部１３ａには、先端の所定部分に、操作部１３が所定角度回動した際、容器本体１内側の底部に当接して回動を制止することができるように、制止部１３ｄが設けられている。なお、一変形例として、制止部１３ｄを設ける位置は、操作部１３の回動角度の設定許容範囲にしたがって、適宜、変更してよい。
【００２９】
また、操作部１３は、上述した一端部１３ａだけでなく、他端部において、中蓋１０における中皿３に蝶着された部位に相対する縁部１２の外側方向に突出したつば部１３ｂ、及び、中蓋１０が閉じられている際、縁部１２の先端部（フック１０ａ）に係合する突出部１３ｃをも有している。なお、つば部１３ｂの先端部近傍は、操作位置（指を掛ける位置）とされる部分である。また、突出部１３ｃの先端部は、係止部３ａに係止することができるような形状になっている。
【００３０】
ここで、図４及び図５を用いて、中蓋１０の開閉動作について説明する。まず、図４に示したように、操作部１３のつば部１３ｂ先端部付近に指を掛けて矢印方向に押す。これにより、回転軸１５を軸として操作部１３が中皿３から遠ざかる方向に回動しようとするとともに、突出部１３ｃによって縁部１２の先端部（フック１０ａ付近）に上向きの力が加えられる。その結果として、図５に示したように、中皿３の縁部に形成された係止部３ａに係止されていたフック１０ａを解除することができるとともに中蓋１０を押し上げることができるので、容易に中蓋１０を開放することができる。一方、中蓋１０を閉じる際には、中蓋１０を開放する前の位置まで操作部１３を戻し、係止部３ａにフック１０ａを係止すればよい。
【００３１】
上記構成によれば、操作部１３を、一端部１３ａと回転軸１５との接続部分を軸として、遠ざかる方向に単に回動させるだけで、操作部１３の突出部１３ｃが係合している縁部１２の先端部（フック１０ａ付近）を押し上げることができる。その結果として、中蓋１０を押し上げることができるので、容易に中蓋１０を開放できる化粧料容器１００を提供できる。また、従来よりも簡易な構成であるので、より容易に製造できる化粧料容器１００を提供できる。
【００３２】
また、制止部１３ｄによって操作部１３の回動を所定角度で制止することができるので、操作部１３の他端部が容器本体１内側の底部（収容凹部８の底部）まで到達してしまうことを防止できる。また、制止部１３ｄによって操作部１３の回動を所定角度で制止することにより、中蓋１０を閉じる際、操作部１３の位置を、中蓋１０を開ける前の位置に容易に戻すことができる。
【００３３】
また、操作部１３を操作する際、力を加える位置である力点としてつば部１３ｂを利用できるので、操作部１３を容易に回動させることができる。その結果として、より容易に中蓋１０を開放することができる。
【００３４】
なお、本発明は、特許請求の範囲を逸脱しない範囲で設計変更できるものであり、上記実施形態に限定されるものではない。例えば、図示しないが、上記実施形態において、操作部１３は、回転軸１５及び支持部１４ａ、１４ｂによって回動自在に容器本体１内側の底部（収容凹部８の底部）に接続されているが、この代わりに、一変形例として、容器本体１内側の底部（収容凹部８の底部）と一端部とが薄肉部を介して接続された操作部を用いてもよい。このとき、容器本体１内側の底部（収容凹部８の底部）と、前記薄肉部と、操作部（操作部１３と同様の外形）とは一体成形されているものである。なお、回転軸１５が貫通していた部分を除いて、本変形例における操作部の外形は、操作部１３と略同様である。これにより、前記薄肉部を支点として本変形例の操作部を揺動（回動を含む）させることができるので、上記実施形態と同様の作用・効果を奏することができる。
【００３５】
また、上記実施形態における操作部１３の代わりに、重心が中皿３側に偏たるような操作部を用いてもよい。例えば、上記実施形態における操作部１３における突出部１３ｃの下部面に重りを付けて形成されたような操作部を用いて、中皿側へ傾きやすいようにしておけばよい。若しくは、操作部の形状を工夫して重心位置を中皿側に偏たるよう調整し、中皿側へ傾きやすいようにしたものであってもよい。これらの構成によれば、中蓋が操作部によって開かれた際、操作部の回動が所定角度までであれば、自動的に中蓋を開く前の位置に操作部を戻すことができる。特に、上記実施形態におけるように、操作部の回動角度が大きくなりすぎないように設定した許容範囲で制止するものとしていれば、確実に、自動的に中蓋を開く前の位置に操作部を戻すことができる。これにより、中蓋を単に閉じるだけで、中蓋をいつでも開ける状態に戻すことが可能な使い勝手の良い化粧料容器を提供できる。なお、本変形例においては、操作部の上部（上記実施形態における突出部１３ｃより上部に相当する部分）が開いた中蓋と衝突しないように、操作部の上部（上記実施形態における突出部１３ｃより上部に相当する部分）をできるだけ中皿外側へ向けて延設したものとすることが好ましい。
【００３６】
また、上記実施形態おける制止部１３ｄにおいては、操作部１３が所定角度回動すると、容器本体１内側の底部（収容凹部８の底部）に当接するような曲面形状に形成されているが、これに限られず、所定位置において突出している凸部などであってもよい。つまり、操作部が所定角度回動した際、操作部の回動を制止できるのであれば、制止部はどのような形状であってもよい。
【００３７】
また、上記実施形態における操作部１３においては、断面が略Ｌ字形状となるように形成されているが、これに限られず、上記実施形態と同様に、回転軸を軸として回動するようになっており、突出部において中蓋を開放できるように形成されていれば、どのような形状であってもよい。
【符号の説明】
【００３８】
１    容器本体
１ａ、１ｂ    孔
２    蓋体
３    中皿
３ａ、１８ａ    係止部
４、６    側壁
４ａ    フック部
５    収容凹部
７    化粧用パフ
８    収容凹部
９    蝶着部
９ａ    枢軸
１０    中蓋
１０ａ    フック
１１ａ    固定部材
１１ｂ    シール部材
１２    縁部
１３    操作部
１３ａ    一端部
１３ｂ    つば部
１３ｃ    突出部
１３ｄ    制止部
１４ａ、１４ｂ    支持部
１５    回転軸
１６    枢軸
１７    鏡
１８    フックピース
１９    弾性部材
１００    化粧料容器
【図１】
2010178774.tif 000003
【図２】
2010178774.tif 000004
【図３】
2010178774.tif 000005
【図４】
2010178774.tif 000006
【図５】
2010178774.tif 000007